(57)【要約】      （修正有）【課題】装置本体下方側からレーザ光を目隠しできるとともにイメージングカートリッジの取り出しを円滑に行える画像形成装置を提供する。【解決手段】イメージングカートリッジ２と、カートリッジ２と装置本体１０との駆動連結機構（ギアＧ１及びＧ２）と、記録材供給装置３と、光学装置１からのレーザー光と、遮光部材４と、装置本体１０の開閉可能の扉１０１とを備えており、光学装置１、カートリッジ２及び記録材供給装置３は装置本体１０においてこの順序で上から下へ配置され、遮光部材４はカートリッジ２の下方側に配置されており、扉１０１の開動作に連動してカートリッジ２を装置本体１０との駆動連結を解除する方向に移動させる位置Ｐ２に配置され、扉１０１の閉動作に連動して位置Ｐ２から後退した位置Ｐ１に配置される画像形成装置（プリンタ）。【選択図】  図２
2004271636.tif 000002
【特許請求の範囲】
【請求項１】
レーザー光を用いて画像を形成する画像形成装置であり、
像担持体にレーザー光を照射して静電潜像を形成するための光学装置と、
少なくとも前記像担持体又は前記静電潜像を現像して可視像とするための現像装置を有し、画像形成装置本体に対し着脱可能であるイメージングカートリッジと、
該画像形成装置本体に装着される該イメージングカートリッジと該画像形成装置本体との駆動連結機構と、
前記可視像転写用の記録材を供給するための記録材供給装置と、
前記光学装置からのレーザー光路を前記画像形成装置本体の下方側からは見えなくする遮光部材と、
前記イメージングカートリッジ着脱のために前記画像形成装置本体に開閉可能に設けられた扉とを備えており、
前記光学装置、イメージングカートリッジ及び記録材供給装置は前記画像形成装置本体においてこの順序で上から下へ配置され、
前記遮光部材は該イメージングカートリッジの下方側に配置されており、前記扉の開動作に連動して前記イメージングカートリッジを前記画像形成装置本体との前記駆動連結機構による駆動連結を解除する方向に移動させる位置に配置され、該扉の閉動作に連動して該位置から後退した位置に配置されることを特徴とする画像形成装置。
【請求項２】
前記遮光部材は、前記扉の開動作に連動して、前記イメージングカートリッジを直接押して、又は該イメージングカートリッジを前記画像形成装置本体内で支持する保持部材を押すことで間接的に該イメージングカートリッジを押して前記駆動連結を解除する方向に移動させる請求項１記載の画像形成装置。
【請求項３】
前記画像形成装置本体にはその底部に底板部材が設けられていない請求項１又は２記載の画像形成装置。
【請求項４】
前記駆動連結機構は前記画像形成装置本体側の駆動部と該駆動部に係合可能の前記イメージングカートリッジ側の被駆動部とを含んでおり、前記扉の開動作に連動して該駆動部が該被駆動部から離隔する請求項１、２又は３記載の画像形成装置。
【請求項５】
前記駆動連結機構は前記画像形成装置本体側の駆動ギアと該駆動ギアに係合可能の前記イメージングカートリッジ側の被駆動ギアとを含んでおり、前記扉の開動作に連動して該駆動ギアが該イメージングカートリッジを脱離方向に押すように回動する請求項１、２又は３記載の画像形成装置。
【発明の詳細な説明】
【０００１】
【発明の属する技術分野】
本発明はレーザー光を用いて画像を形成する画像形成装置に関する。
【０００２】
【従来の技術】
この種の画像形成装置は各種複写機、プリンタ、ファクシミリ機、これらの複合機等に見られる。
【０００３】
この種の画像形成装置は、通常、感光体ドラム等の像担持体、該像担持体にレーザー光を照射して静電潜像を形成するための光学装置、該静電潜像を現像して可視像とするための現像装置、該可視像を転写する記録材を供給するための記録材供給装置等を備えている。
【０００４】
また、像担持体又は現像装置、或いはこれら双方などをカートリッジ型に組み立てて画像形成装置本体に対し着脱可能としたものもある。かかるカートリッジはイメージングカートリッジなどと呼ばれている。
【０００５】
このようなイメージングカートリッジを採用した画像形成装置においては、イメージングカートリッジを画像形成装置本体に着脱等するときに、光学装置から発せられるレーザー光がオペレータに見えたり、装置本体外へ漏れることを安全規格上防止する必要がある。
【０００６】
また、イメージングカートリッジを採用した画像形成装置においては、該イメージングカートリッジを装置本体から取り外すとき、できるだけ容易に取り外せることが望ましい。
【０００７】
この点、例えば特許第３３５２１５５号公報は、装置本体に設けられた光学装置であるレーザー光発射手段自体にそれから発射されるレーザー光の光路を遮るレーザーシャッターを設け、イメージングカートリッジを装置本体から取り出すと該シャッターが閉じ、イメージングカートリッジを装置本体に装着すると該シャッタが開くようにしている。
【０００８】
また、かかるレーザー光の遮断機構とは別個に設けられた、イメージングカートリッジを装置本体から円滑に取り出せるようにする機構も開示している。すなわち、イメージングカートリッジ着脱用の装置本体カバーの開動作に連動して、装置本体とイメージングカートリッジの感光体ドラムとの駆動連結を行っている装置本体側の駆動ギアをこれに噛み合う装置本体側のギア類とのかみ合いから解放して回転自在となるようにし、これによりギア間のかみ合い力を低減してイメージングカートリッジの取り出しを容易にしている。
【特許文献】特許第３３５２１５５号公報
【０００９】
【発明が解決しようとする課題】
しかしながら、レーザー光路の目隠しの点については、光学装置（レーザー光発射手段）にレーザーシャッターを設けるだけでは十分とは言えない。機種によっては、例えば、装置カバーの開閉時、イメージングカートリッジ未装着で装置カバーが閉じられている時、電源のＯＮ−ＯＦＦ時のウォームアップシーケンスで光学装置がＯＮする時間等に、装置点検その他の理由で画像形成装置本体の下方側から装置を覗き込んだり、所定の作業を行うことがあり、その場合にレーザー光がオペレータ等に見えてしまうことがある。
【００１０】
この問題を解決する手段として、イメージングカートリッジを装置外へ取り出しているときは、装置カバー或いは扉の開閉等に関係なく光学装置がオフされるようにしたり、装置本体底部にレーザー光の漏れを防止する底板部材を設けることなどが考えられる。しかし前者は低価格をセールスポイントにする画像形成装置の場合コスト高を招くので採用し難く、後者の底板部材についは、それなりに大がかりなものであり、これを設けるとなるとコスト高を招く。
【００１１】
そこで本発明は、レーザー光を用いて画像を形成する画像形成装置にして画像形成装置本体に対し着脱可能のイメージングカートリッジを採用した画像形成装置であって、簡単、安価に、画像形成装置本体下方側からに対してレーザ光を目隠しできるとともにイメージングカートリッジの取り出しを円滑に行える画像形成装置を提供することを課題とする。
【００１２】
前記課題を解決するため本発明は、
レーザー光を用いて画像を形成する画像形成装置であり、
像担持体にレーザー光を照射して静電潜像を形成するための光学装置と、
少なくとも前記像担持体又は前記静電潜像を現像して可視像とするための現像装置を有し、画像形成装置本体に対し着脱可能であるイメージングカートリッジと、
該画像形成装置本体に装着される該イメージングカートリッジと該画像形成装置本体との駆動連結機構と、
前記可視像転写用の記録材を供給するための記録材供給装置と、
前記光学装置からのレーザー光路を前記画像形成装置下方側からは見えなくする遮光部材と、
前記イメージングカートリッジ着脱のために前記画像形成装置本体に開閉可能に設けられた扉とを備えており、
前記光学装置、イメージングカートリッジ及び記録材供給装置は前記画像形成装置本体においてこの順序で上から下へ配置され、
前記遮光部材は該イメージングカートリッジの下方側に配置されており、前記扉の開動作に連動して前記イメージングカートリッジを前記画像形成装置本体との前記駆動連結機構による駆動連結を解除する方向に移動させる位置に配置され、該扉の閉動作に連動して該位置から後退した位置に配置される画像形成装置を提供する。
【００１３】
上記のとおり、「光学装置、イメージングカートリッジ及び記録材供給装置は画像形成装置本体においてこの順序で上から下へ配置されている」のであるが、この配置状態には、光学装置、イメージングカートリッジ及び記録材供給装置がこの順序で概ね上から下へ配置されている場合も含まれる。
【００１４】
前記の光学装置は、例えば前記扉の開動作に連動して光学装置からのレーザー光路を遮断し、該扉の閉動作に連動して該レーザー光路を開放するレーザーシャッターを備えたものでもよい。
【００１５】
本発明の画像形成装置によると、光学装置から画像情報に応じて像担持体にレーザー光が照射され、像担持体上に静電潜像が形成される。該静電潜像は現像装置により可視像に現像される。この可視像は記録材供給装置から供給されてくる記録材上に転写される。
【００１６】
画像形成の間、イメージングカートリッジは駆動連結機構を介して画像形成装置本体から駆動力を受ける。
イメージングカートリッジの交換や点検に際してのイメージングカートリッジの脱着時には画像形成装置本体の扉が開閉される。
【００１７】
該扉が開かれると、扉の開動作に連動して遮光部材が前記の駆動連結解除のための位置に配置され、それによりイメージングカートリッジは遮光部材に動かされて画像形成装置本体との駆動連結が解除され、それだけ大きいトルクや抵抗を感じることなく円滑、容易にイメージングカートリッジを画像形成装置本体外へ取り出せる。
【００１８】
イメージングカートリッジを画像形成装置本体外へ取り出した状態では、或いはその状態で扉を閉じた状態では、オペレータ等が画像形成装置本体下側から覗くなどしても、光学装置から出ていることがあるレーザー光は遮光部材に目隠しされて見えず、それだけ安全である。
【００１９】
イメージングカートリッジを装置本体に装着して扉を閉じると、扉の閉動作に連動して遮光部材が駆動連結解除位置から前記の後退位置に後退し、これによりイメージングカートリッジは装置本体内における画像形成のための所定の位置をとり、画像形成装置本体と駆動連結される。
【００２０】
このように、底板部材と比べて簡単、安価に設けることができる遮光部材を利用することで、簡単、安価に、画像形成装置本体下方側からに対してレーザ光を目隠しできるとともにイメージングカートリッジの脱着を円滑に行える。
【００２１】
前記の遮光部材を設けるので、画像形成装置本体底部には底板部材を設けてなくてもレーザー光を目隠しできる。また、部分的にのみ底板部材を設けてあるためにレーザー光が漏れ出る恐れのあるときでも、前記の遮光部材により確実にレーザー光を目隠しできる。
【００２２】
前記遮光部材は、前記扉の開動作に連動して、前記イメージングカートリッジを直接押して該イメージングカートリッジを前記駆動連結を解除する方向に移動させるものでもよいし、該イメージングカートリッジを間接的に動かして該イメージングカートリッジを前記駆動連結を解除する方向に移動させるものでもよい。例えば該イメージングカートリッジを前記画像形成装置本体内で支持する保持部材を押すことで間接的に該イメージングカートリッジを前記駆動連結を解除する方向に移動させるものでもよい。
【００２３】
イメージングカートリッジの取り出しを一層円滑、容易に行えるようにするために、前記駆動連結機構は前記画像形成装置本体側の駆動部と該駆動部に係合可能の前記イメージングカートリッジ側の被駆動部（従動部）とを含むものとし、前記扉の開動作に連動して、さらに該駆動部が該被駆動部から離隔するようにしてもよい。
【００２４】
また、前記駆動連結機構は前記画像形成装置本体側の駆動ギアと該駆動ギアに係合可能の前記イメージングカートリッジ側の被駆動ギア（従動ギア）とを含むものとし、前記扉の開動作に連動して、さらに該駆動ギアが該イメージングカートリッジを脱離方向に押すように回動してもよい。
【００２５】
なお、本発明は複写機、プリンタ、ファクシミリ機、これらの複合機等の画像形成装置であってイメージングカートリッジを採用する各種画像形成装置に適用できる。またモノクロ画像形成を行うものにもカラー画像形成を行うものにも適用できる。
【００２６】
【発明の実施の形態】
本発明の実施の形態について図面を参照して説明する。
図１及び図２に本発明の一つの実施形態である画像形成装置の構成の概略を示す。図１は画像形成装置本体の扉を閉じた状態を示しており、図２は該扉を開いた状態を示している。
【００２７】
この画像形成装置はレーザービームプリンタであり、プリンタ本体１０内にレーザー光を照射する光学装置１、感光体ドラム２１等を含むイメージングカートリッジ２、紙、ＯＨＰ用シート等の記録材Ｓを供給する記録材供給装置３を有している。光学装置１、カートリッジ２及び記録材供給装置３はこの順序で上から下に配置されている。
【００２８】
光学装置１はコンピュータ等のホスト機器からの画像情報に応じてレーザー光を発する半導体レーザユニット、回転駆動されるポリゴンミラー、前記レーザーユニットから発せられるレーザー光を該ポリゴンミラーへ導く光学系、該ポリゴンミラーによる反射光を感光体ドラム２１に導く光学系等を備えており、感光体２１へのレーザー光Ｌの照射は光学装置ケース１１の下部スリット１１１からなされる。スリット１１１に対して後述の動作をするレーザーシャッタ１２が設けられている。
【００２９】
イメージングカートリッジ２はプリンタ本体１０内の画像形成のための所定位置に対し着脱可能である。カートリッジ２の着脱は本体１０の前面側に設けられた扉１０１を開閉して行われる。扉１０１はその下端部が軸１０２にて本体１０に支持されており、扉上端部をプリンタ本体外側へ倒して開くことができ、逆に上端部を持ち上げて閉じることができる。
【００３０】
前記のレーザーシャッター１２は、扉１０１を開くと、図示省略のリンク機構を介して動かされ、光学装置スリット１１１を閉じてレーザー光路を遮断する（図２参照）。扉１０１を閉じると、スリット１１１を開くように動作する（図１参照）。また、レーザー光源も扉１０１を開くとＯＦＦとなり、扉１０１を閉じたいわゆるウォームアップ時、プリント時等にＯＮ（点灯）する。
【００３１】
イメージングカートリッジ２は前述した感光体ドラム２１のほか、感光体ドラム表面を帯電させる帯電ローラ２２、感光体ドラム表面の残留トナー等を清掃除去するクリーナ２３、感光体ドラム上の残留電荷を消去するイレーサ２４、感光体ドラム表面に形成される静電潜像を現像する現像装置部分（細部の図示は省略）２５等を含んでいる。
【００３２】
記録材供給装置３は記録材Ｓを積み重ねて載置できるトレー部３１、該トレー部に載置された記録材Ｓを所定のタイミングで一枚ずつ引出し供給するための記録材供給ローラ３２等を備えている。
【００３３】
トレー部３１の記録材供給ローラ３２側の先端部は装置前面側の端部を基点にして上下に揺動可能であり、記録材供給状態では図示省略の押し上げ手段（バネ等）により押し上げられて、トレー部上に載置された記録材Ｓをローラ３２に臨む位置に配置する。
【００３４】
プリンタ本体１０には図示省略のメインモータ及び伝動機構を介して駆動されるギア（イメージングカートリッジ駆動ギア）Ｇ１が設けられており、イメージングカートリッジ２にはギアＧ１に噛み合うギアＧ２が搭載されている。ギアＧ２はギアＧ１により駆動されてカートリッジ内の回転部材に動力を伝達する。
【００３５】
駆動ギアＧ１及び従動ギアＧ２は本体１０側からイメージングカートリッジ２へ動力を伝達する駆動連結機構を構成している。
【００３６】
プリンタ本体１０には、オペレータ等が画像形成装置本体１０の下側から覗くなどしても、光学装置１から出ていることがあるレーザー光を目隠しするための遮光部材４も設けられている。遮光部材４は本例では板状のもので本体奥側の先端部４１は他の部分より薄く形成されている。遮光部材４は、その他端部４２が扉１０１の下端部に軸４３にて回動可能に連結されているとともに、記録材供給装置３の上部の部品３３上に摺動可能に載置されている。軸４３は扉１０１自身の回動軸１０２から若干離れた位置で扉１０１に取り付けられている。
【００３７】
図１に示すように、扉１０１が閉じられているときには、遮光部材４は位置Ｐ１にあり、イメージングカートリッジ２には接触しておらず、従って、イメージングカートリッジ２はプリンタ本体内の画像形成のための所定の位置を維持でき、従動ギアＧ２は駆動ギアＧ１に噛み合うことができる。
【００３８】
しかし、図２に示すように、扉１０１を開くと、遮光部材４は本体奥側の位置Ｐ２へ、前記の部品３３上を摺動しつつ前進し、薄く形成された先端部４１がイメージングカートリッジ２の前端下部の下に入り込み、それによりイメージングカートリッジ２を持ち上げるとともに従動ギアＧ２を駆動ギアＧ１から脱離させて駆動連結を解除することができる。
【００３９】
プリンタ本体１０には、さらに、タイミングローラ対５１、５２、転写ローラ６、定着ローラ対７１、７２を備えた定着装置７、記録材排出用ローラ８、記録材排出トレイ９等も設けられている。
【００４０】
転写ローラ６は本体内の画像形成のための所定位置に配置されるイメージングカートリッジ２の感光体ドラム２１に臨む位置に配置されており、タイミングローラ対５１、５２は、記録材搬送方向における記録材供給ローラ３２の下流側、且つ、転写ローラ６の上流側に配置されている。
【００４１】
定着装置７、記録材排出用ローラ８、記録材排出トレイ９はこの順序で転写ローラ６の下流側に順次配置されている。
【００４２】
以上説明したプリンタは、イメージングカートリッジ２をプリンタ本体１０内の所定位置に装着し、ギアＧ１、Ｇ２を噛み合わせるとともに扉１０１を閉じた状態（図１参照）で記録材Ｓ上に画像形成できる。画像形成は次のように行われる。
【００４３】
イメージングカートリッジ２において感光体ドラム２１等が回転駆動され、感光体ドラム表面が図示省略の電源から帯電用電圧を印加された帯電ローラ２２により一様に帯電される。その帯電域に光学装置１から画像情報に応じてレーザー光Ｌが照射され、感光体ドラム２１上に静電潜像が形成される。該静電潜像は現像装置部２５により可視トナー像に現像される。一方、記録材供給装置３から記録材Ｓが供給ローラ３２にて引き出され、タイミングローラ対５１、５２へ供給される。該タイミングローラ対は感光体ドラム２１上に形成されたトナー像と同期をとって記録材Ｓを転写領域へ送り込む。
【００４４】
転写領域では転写電圧を印加された転写ローラ６が感光体ドラム２１に臨んでおり、該転写ローラにより感光体ドラム２１上のトナー像が記録材Ｓに転写される。
【００４５】
トナー像が転写された記録材Ｓは引き続き定着装置７に送られ、そこで定着ローラ対７１、７２によりトナー像が定着され、その後排出ローラ８により排出トレイ９上に排出される。
【００４６】
前記転写後感光体ドラム２１上に残留するトナー等はクリーナ２３により除去清掃され、残留電荷がイレーサ２４により消去され、次の画像形成に備えられる。
【００４７】
イメージングカートリッジ２の交換や点検に際してのイメージングカートリッジの脱着に際しては、プリンタ本体１０の扉１０１が開閉される。
【００４８】
扉１０１が開かれると、図２に示すように、扉の開動作に連動して遮光部材４が本体奥側へ押し込まれて位置Ｐ２に配置され、イメージングカートリッジ２の下に挿入される。これによりイメージングカートリッジ２は画像形成のための所定位置から若干持ち上げられ、イメージングカートリッジ２上のギアＧ２がプリンタ本体側ギアＧ１から脱離せしめられる。
【００４９】
かくしてイメージングカートリッジ２を、大きいトルクや抵抗を感じることなく円滑、容易に、図２中横方向に引き出してプリンタ本体１０外へ取り出せる。
【００５０】
イメージングカートリッジ２を装置本体１０外へ取り出した状態では、或いはその状態で扉１０１を再び閉じた状態では、オペレータ等が装置本体１０の下側から覗くなどしても、光学装置１から出ていることがあり得るレーザー光は遮光部材４に目隠しされて見えず、それだけ安全である。
【００５１】
イメージングカートリッジ２をプリンタ本体１０内へ装着するとき、扉１０１は開かれたままであるから、遮光部材４は位置Ｐ２にある。その状態でイメージングカートリッジ２を本体１０内に装着し、次いで扉を閉じると、扉の閉動作に連動して遮光部材４が駆動連結解除位置Ｐ２から後退位置Ｐ１に後退し、これによりイメージングカートリッジ２はプリンタ本体内における画像形成のための所定の位置をとり、ギアＧ２が本体側ギアＧ１と噛み合ってプリンタ本体側と駆動連結される。
【００５２】
次に、図３に示すプリンタについて説明する。図３のプリンタは、図１及び図２に示すプリンタにおいてイメージングカートリッジ２に代えてイメージングカートリッジ２０を採用したものである。それ以外は図１、図２に示すプリンタと同構造のものである。図１、図２のプリンタと同じ部分については図１、図２と同じ参照符号を付してある。
【００５３】
イメージングカートリッジ２０は、感光体ドラム２１及び現像装置の一部を含むドラムカートリッジ２０１と現像装置のトナーを収容するトナーカートリッジ２０２を組み合わせたものであり、トナーカートリッジ２０２をドラムカートリッジ２０１に対し着脱できるものである。
【００５４】
このプリンタにおいては、扉１０１を開けると、遮光部材４は位置Ｐ２へ移動し、トナーカートリッジ２０２を搭載したドラムカートリッジ２０１を持ち上げ、それによりイメージングカートリッジ上のギアＧ２を本体側ギアＧ１から脱離させる。
【００５５】
以上のほかは、画像形成動作、扉１０１の開閉に伴う遮光部材４の動作、イメージングカートリッジ２０の着脱等については図１、図２に示すプリンタと同様である。
【００５６】
以上説明した図１〜図３に示す画像形成装置では、扉１０１の開動作に連動して位置Ｐ２に配置される遮光部材４はイメージングカートリッジ２、２０を直接押して持ち上げ、ギアＧ１とＧ２の駆動連結を解除するが、例えば、イメージングカートリッジ２、２０が本体内で図示省略のカートリッジ保持部材（例えば保持台板部材）で保持されるようなときは、遮光部材４は該保持部材を押すことで間接的に該イメージングカートリッジ２、２０を駆動連結を解除する方向に移動させるものであってもよい。
【００５７】
また、扉１０１を開いたとき遮光部材４が接触するイメージングカートリッジ２、２０の部位は図示の部位に限定されない。イメージングカートリッジと本体側との駆動連結を解除してイメージングカートリッジを取り出せる位置に移動させることができるのであれば、他の部位でも構わない。
【００５８】
また、以上説明したプリンタの本体１０にはその底部にレーザー光目隠し用の底板部材を設けていないが、コスト的に許されるのであれば、一層確実にレーザー光を目隠しできるそのような底板部材を設けても構わない。
【００５９】
図１〜図３に示すいずれのプリンタにおいても、イメージングカートリッジ２或いは２０の取り出しを一層円滑、容易に行えるようにするために、扉１０１の開動作に連動して、本体側ギアＧ１がイメージングカートリッジ側のギアＧ２から離隔するようにしてもよい。
【００６０】
そのために例えば、本体側ギアＧ１をこれと噛み合う本体側の他のギアに対し遊星回転可能に設けておき、扉１０１を開くと、図示省略のリンク機構を介して、ギアＧ１が他のギアに沿ってギアＧ２から離れるように動かされ、扉１０１を閉じると、該リンク機構を介して、ギアＧ１が他のギアに沿ってギアＧ２に噛み合う位置へ移動せしめられるようにしてもよい。
【００６１】
また、図１〜図３に示すいずれのプリンタにおいても、イメージングカートリッジ２或いは２０の取り出しを一層円滑、容易に行えるようにするために、扉１０１の開動作に連動して、本体側ギアＧ１がギアＧ２を介してイメージングカートリッジ２、２０を脱離方向に押すようにしてもよい。
【００６２】
そのために例えば、扉１０１を開くと、図示省略のリンク機構を介して、本体側ギアＧ１がイメージングカートリッジ側ギアＧ２をイメージングカートリッジ取り出し方向に押すように回転せしめられるようにしてもよい。
【００６３】
いずれにしても、以上説明したプリンタによると、底板部材と比べて簡単、安価に設けることができる遮光部材４を採用することで、簡単、安価に、画像形成装置本体１０の下方側からに対してレーザ光を目隠しできるとともにイメージングカートリッジ２、２０の脱着を円滑に行える。
【００６４】
【発明の効果】
以上説明したように本発明によると、レーザー光を用いて画像を形成する画像形成装置にして画像形成装置本体に対し着脱可能のイメージングカートリッジを採用した画像形成装置であって、簡単、安価に、画像形成装置本体下方側からに対してレーザ光を目隠しできるとともにイメージングカートリッジの取り出しを円滑に行える画像形成装置を提供することができる。
【図面の簡単な説明】
【図１】本発明に係る画像形成装置の１例であるプリンタの構成を概略的に示す図である。
【図２】図１のプリンタにおいてプリンタ本体の扉を開いた状態を示す図である。
【図３】本発明に係る画像形成装置の他の例であるプリンタの構成を、プリンタ本体の扉を開いた状態で概略的に示す図である。
【符号の説明】
１０  プリンタ本体
１０１  扉
１０２  扉開閉用の軸
１  光学装置
１１  光学装置ケース
１１１  スリット
２  イメージングカートリッジ
２１  感光体ドラム
２２  帯電ローラ
２３  クリーナ
２４  イレーサ
２５  現像装置部
２０  イメージングカートリッジ
２０１  ドラムカートリッジ
２０２  トナーカートリッジ
３  記録材供給装置
３１  トレー部
３２  記録材供給ローラ
３３  記録材供給装置の部品
Ｓ  記録材
Ｇ１  本体側の駆動ギア（イメージングカートリッジ駆動ギア）
Ｇ２  イメージングカートリッジ側の従動ギア
４  遮光部材
４１  遮光部材の先端部
４２  遮光部材の他端部
４３  軸
Ｐ１  扉開時の遮光部材の位置
Ｐ２  扉閉時の遮光部材の位置
５１、５２  タイミングローラ対
６  転写ローラ
７  定着装置
７１、７２  定着ローラ対
８  記録材排出用ローラ
９  記録材排出トレイ
【図１】
2004271636.tif 000003
【図２】
2004271636.tif 000004
【図３】
2004271636.tif 000005